(57)【特許請求の範囲】
【請求項１】
剣道用面の面金の後側に取り付けられ、当該剣道用面を装着した着用者の鼻と口に対向するカバー部と、
前記カバー部の下端部から後側に向かって延出する受け部とを備えていることを特徴とする剣道用マスク。
【請求項２】
前記カバー部が、前記面金の上下方向の中間部に取り付けられている請求項１記載の剣道用マスク。
【請求項３】
前記カバー部に、着用者の鼻と口とに対向する対向部を避けて通気部が形成されている請求項１又は２のいずれかに記載の剣道用マスク。
【請求項４】
前記カバー部が、前側に突出するように曲がっている請求項１乃至３のいずれかに記載の剣道用マスク。
【請求項５】
前記受け部が、左右方向に並ぶ複数の受け部要素に分割されている請求項１乃至４のいずれかに記載の剣道用マスク。
【請求項６】
隣り合う前記受け部要素は、隣り合う辺部同士が互いに重なっている請求項５記載の剣道用マスク。
【請求項７】
前記カバー部と前記受け部とが、一枚の板材を折り曲げて形成されている請求項１乃至６のいずれかに記載の剣道用マスク。
【発明の詳細な説明】
【技術分野】
【０００１】
本発明は、剣道用マスクに関するものである。
【背景技術】
【０００２】
剣道用面は、特許文献１に示すように、着用者の顔面を保護する面金と、面金に取り付けられ、着用者の頭部を保護する緩衝部材と、を備えた構造になっている。
【０００３】
前記剣道用面の面金に取り付けられる剣道用マスクとして、当該面金の上下方向の中間部に後側から取り付けられ、当該剣道用面の着用者の鼻と口に対向するカバー板を備えたものがある。
【０００４】
前記剣道用マスクでは、着用者の鼻や口から前方へ向かって飛散した唾等の飛散物をカバー板によって受け止めることができる。また、カバー板が、面金の中間部に取り付けられているので、面金の上部と下部から空気が流入して呼吸し易い。
【０００５】
しかしながら、前記剣道用マスクでは、カバー板によって面金の下部が塞がれない。このため、着用者の鼻や口から下方へ向かって飛散した飛散物が、面金の下部から外方へ放出され、好ましくない。例えば、大人が子供を指導する際には、大人の飛散物が身長の低い子供に降り掛かることになり、飛散物にウイルスが含まれていると、当該ウイルスの感染拡大を招くという問題等もある。
【先行技術文献】
【特許文献】
【０００６】
【特許文献１】特開２０１３−２２３１１号
【発明の概要】
【発明が解決しようとする課題】
【０００７】
そこで、本発明は、剣道用面の着用者の鼻や口から下方へ向かって飛散した飛散物が面金から外方へ放出されない剣道用マスクを得ることを主な課題とするものである。
【課題を解決するための手段】
【０００８】
すなわち、本発明に係る剣道用マスクは、剣道用面の面金の後側に取り付けられ、当該剣道用面を装着した着用者の鼻と口に対向するカバー部と、前記カバー部の下端部から後側に向かって延出する受け部とを備えていることを特徴とするものである。
【０００９】
このような構成によれば、剣道用面を装着した着用者の鼻と口に対向するカバー部の下端部から後側に向かって延出する受け部を設けたので、着用者の鼻や口から下方へ向かって飛散した飛散物が受け部に受け止められ、面金の下部から外方へ放出されなくなる。これにより、例えば、大人が子供を指導する際に、大人の飛散物が身長の低い子供に降り掛かることを防止できる。その結果、飛散物にウイルスが含まれていたとしても、当該ウイルスの感染拡大を抑制できる。
【００１０】
また、前記カバー部が、前記面金の上下方向の中間部に取り付けられているものであってもよい。
【００１１】
このような構成によれば、カバー部が面金の中間部に取り付けられているので、面金の上部と下部からカバー部と着用者の顔面との間に空気が流入するようになり、カバー部と着用者の顔面との間の通気性が向上する。これにより、着用者が呼吸し易くなり、また、着用者の呼吸によるカバー部の曇りが抑制される。
【００１２】
また、前記カバー部に、着用者の鼻と口とに対向する対向部を避けて通気部が形成されていてもよい。
【００１３】
このような構成によれば、カバー部に対向部を避けて通気部が形成されているので、カバー部の対向部によって着用者の鼻や口から前方へ吐き出された飛散物を受け止めつつ、通気部によってカバー部と着用者の顔面との間の通気性がさらに向上する。これにより、着用者がより呼吸し易くなり、また、着用者の呼吸によるカバー部の曇りが可及的に抑制される。
【００１４】
また、前記カバー部が、前側に突出するように曲がっているものであってもよい。
【００１５】
このような構成によれば、カバー部が前側に突出するように曲がっているので、カバー部と着用者の顔面との間にスペースが形成され、より呼吸し易くなる。
【００１６】
また、前記受け部が、左右方向に並ぶ複数の受け部要素に分割されているものであってもよい。
【００１７】
このような構成によれば、受け部が左右方向に並ぶ複数の受け部要素に分割されているので、カバー部の下端部を前側に突出するように曲げ易くなる。
【００１８】
また、隣り合う前記受け部要素は、隣り合う辺部同士が互いに重なっているものであってもよい。
【００１９】
このような構成によれば、隣り合う受け部要素の隣り合う辺部同士が互いに重なっているので、隣り合う受け部要素の間に隙間が形成され難くなる。これにより、カバー部を曲げ易いように受け部を分割しても、受け部によって飛散物を可及的に受け止めることができる。
【００２０】
また、前記カバー部と前記受け部とが、一枚の板材を折り曲げて形成されているものであってもよい。
【００２１】
このような構成によれば、一枚の板材を折り曲げて形成できるので、製造が容易となる。
【発明の効果】
【００２２】
このように構成した剣道用マスクによれば、剣道用面の着用者の鼻や口から下方へ向かって飛散した飛散物が面金から外方へ放出されなくなる。
【図面の簡単な説明】
【００２３】
【図１】第１の実施形態に係る剣道用マスクを剣道用面に取り付けた状態を模式的に示す正面図である。
【図２】第１の実施形態に係る剣道用マスクを剣道用面に取り付けた状態を模式的に示す側面図である。
【図３】第１の実施形態に係る剣道用マスクを剣道用面に取り付けた状態を模式的に示す断面図である。
【図４】第１の実施形態に係る剣道用マスクのカバー部を面金に取り付けていない状態（弾性変形させていない状態）を模式的に示す斜視図である。
【図５】第１の実施形態に係る剣道用マスクのカバー部を面金に取り付けた状態（弾性変形させた状態）を模式的に示す斜視図である。
【図６】その他の実施形態に係る剣道用マスクを模式的に示す正面図である。
【発明を実施するための形態】
【００２４】
以下に、本発明に係る剣道用マスクの一実施形態を説明する。
【００２５】
＜第１の実施形態＞  本実施形態に係る剣道用マスク１００は、図１乃至図３に示すように、剣道用面Ｍの面金Ｆに後側に引っ掛けて取り付けられるものである。そこで、先ず、剣道用マスク１００の取り付け対象となる面金Ｆの構造を説明する。
【００２６】
面金Ｆは、剣道用面Ｍの着用者の顔面と対向するものである。そして、面金Ｆは、略楕円形状に形成された台輪Ｆ１と、台輪Ｆ１の左右方向中央を通るように上下方向に架け渡された縦金Ｆ２と、台輪Ｆ１の左右方向に架け渡され、上下方向に略等間隔に複数並ぶ横金Ｆ３と、を備えている。
【００２７】
台輪Ｆ１には、着用者の頭部を覆う面布団や内輪等の緩衝部材Ｈが取り付けられている。縦金Ｆ２は、前側に突出するように湾曲している。各横金Ｆ３は、その中央にて縦金Ｆ３と接続されており、前側に突出するように湾曲している。従って、横金Ｆ２の内面は、その両側部分が後方に向かって左右方向に広がるように湾曲している。横金Ｆ３は、縦金Ｆ２の左・右両側がいずれも後側に向かいながら左右方向へ広がるように湾曲している。また、縦金Ｆ２と横金Ｆ３とは、その両端が緩衝部材Ｈが取り付けられた台輪Ｆ１の前面Ｆ１ｓに接続されている。
【００２８】
次に、本実施形態に係る剣道用マスク１００の構成を説明する。
【００２９】
剣道用マスク１００は、図１乃至図５に示すように、面金Ｆに上下方向の中間部に取り付けられ、着用者の目、鼻及び口に対向するカバー部１０と、カバー部１０の下端から後側へ延出する受け部２０と、を備えている。本実施形態に係るカバー部１０と受け部２０とは、一枚の透明性を有する板材Ｐを折り曲げて形成されたものであり、一体に形成されている。
【００３０】
カバー部１０は、弾性変形可能なものであって、面金１０に取り付けられておらず弾性変形していない非取付状態で、図４に示すように、平板状をなすものである。この平板状のカバー部１０は、正面視略台形状をなし、面金Ｆの下部形状に合わせて下側に向かうに従って左右方向の幅が徐々に短くなっている。また、カバー部１０は、面金Ｆに取り付けられ弾性変形した取付状態で、図１乃至図３に示すように、前側に突出するように左右方向に湾曲するものである。すなわち、この状態で、カバー部１０は、上下方向から見て弓なり状（略円弧状）に湾曲している。
【００３１】
カバー部１０の上端部には、面金Ｆ上部の横金Ｆ３に下側から引っ掛かる二つの上側引掛り部１１が形成されている。この上端引掛り部１１は、例えば、カバー部１０の上端部を切り込みによって左右に分割して形成されている。
【００３２】
カバー部１０の左・右側端部には、面金Ｆ下部の横金Ｆ３に取り付けられる乳革Ｆ４を通すための乳革通し部１２が形成されている。この乳革通し部１２は、カバー部１０の左・右側端部を縁から左右方向中央に向かって切り欠いて形成されている。
【００３３】
カバー部１０の下端には、面金Ｆ下部の横金Ｆ３に上側から引っ掛かる下側引掛り部１３が形成されている。この下側引掛り部１３は、具体的には、カバー部１０の下端の左・右端部によって形成されている。
【００３４】
受け部２０は、図４に示すように、非取付状態のカバー部１０、すなわち、平板状のカバー部１０の下端から後側へ延出した略三角形状のものであり、左右方向に並ぶ二つの受け部要素２１，２２に分割されている。この二つの受け部要素２１，２２は、カバー部１０が非取付状態になると、互いに重なり合わず、カバー部１０が取付状態になると、隣り合う辺部２１ｓ、２２ｓ同士が互いに重なり合うようになっている。
【００３５】
受け部２０は、カバー部１０が取付状態において、例えば、そのカバー部１０の下端から横金Ｆ３と略平行に直線状に延出するものである。また、この状態で、受け部２０は、カバー部１０の左・右側端よりも前側に位置付けられるようになっている。すなわち、受付部２０は、取付状態のカバー部１０よりも後側へ突出しないようになっている。また、この状態で、二つの受け部要素２０ａ，２０ｂは、隣り合う辺部２１ｓ，２２ｓ同士が互いに密着するように重なり合っている。
【００３６】
次に、本実施形態に係る剣道用マスク１００の取付方法を説明する。
【００３７】
先ず、カバー部１０に左・右側端を互いに近づけるように力を加えることにより、カバー部１０を前側に突出するように湾曲させ面金Ｆの後側に嵌め込む。この後、カバー部１０に加えていた力を取り除くと、カバー部１０が、その復元力によって平板状に戻ろうとする。そうすると、カバー部１０の左・右側端の一部が、それぞれ横金Ｆ３の左・右両側に接触した後、その左・右両側に沿って後側へスライドし台輪Ｆ１の前面Ｆ１ｓに引っ掛かる。これにより、カバー部１０の面金Ｆに対する左右方向及び前後方向への動きが規制される。
【００３８】
この状態において、受け部２０を構成する二つの受け部要素２１，２２は、カバー部１０の下端から後方に延出し、隣り合う辺部２１ｓ、２２ｓ同士が互いに重なり合う。
【００３９】
次に、カバー部１０の上側引掛け部１１を面金Ｆ上部の横金Ｆ３に下側から引っ掛ける。具体的には、カバー部１０の上端部に形成された切り込みに縦金Ｆ２を嵌め込み、当該切り込みの両側を上下に並ぶ横金Ｆ３の隙間に挿し込むことにより、カバー部１０の上端部を横金Ｆ３に下側から引っ掛ける。これにより、カバー部１０の面金Ｆに対する上方向への動きが規制される。
【００４０】
次に、カバー部１０の下側引掛け部１３を面金Ｆ下部の横金Ｆ３に上側から引っ掛ける。具体的には、カバー部１０の下端の左・右端部を横金Ｆ３に上側から引っ掛ける。これにより、カバー部１０の面金Ｆに対する下方向への動きが規制される。
【００４１】
このような構成によれば、剣道用面Ｍを装着した着用者の鼻と口に対向するカバー部１０の下端から後側に向かって延出する受け部２０を設けたので、着用者の鼻や口から下方へ向かって飛散した飛散物が受け部２０に受け止められ、面金Ｆ下部から外部へ放出されなくなる。
【００４２】
また、一枚の板材Ｐを折り曲げてカバー部１０と受け部２０とを形成しているので、その折り曲げ角度を変更するたけで、カバー部１０に対する受け部２０の延出する方向を調節できる。
【００４３】
また、カバー部１０の弾性変形を利用して面金Ｆに取り付けるので、剣道用面Ｍから剣道用マスク１００を容易に着脱することができ、清掃が容易となる。
【００４４】
＜その他の実施形態＞  カバー部と受け部とは、一枚の板材を折り曲げて形成されたものでなくてもよい。例えば、カバー部と受け部とを、別の板材によって形成し、カバー部の下端部に受け部を取り付けたものであってもよい。また、カバー部と受け部とは、金型によって一体に成形したものであってもよい。
【００４５】
カバー部は、面金の上下方向の上部を除く下側を塞ぐように取り付けられるものであってもよく、面金の上下方向の下部を除く上側を塞ぐように取り付けられるものであってもよい。さらに、カバー部は、面金全体を塞ぐように取り付けられるものであってもよい。
【００４６】
カバー部は、面金に取り付けられた状態で、平板状になっているものであってもよい。また、カバー部は、着用者の目と対向せず、鼻と口に対向するものであってもよい。
【００４７】
カバー部１０に、図６に示すように、着用者の口と鼻とに対向する対向部１０ａを避けてその周囲に通気部１４を形成してもよい。例えば、通気部１４は、カバー部１０の対向部１０ａを避けて左・右側端部１０ｂに形成された貫通する孔であってもよく、また、カバー部の対向部１０ａを避けて左・右側端部を縁から中央に向かって切り欠いて形成された凹部であってもよい。また、通気部１４は、複数形成されていてもよく、また、対向部１０ａの口と対向する部分よりも上側に形成されていることが好ましい。
【００４８】
受け部は、複数の受け部要素に分割されていないものであってもよい。また、受け部は、三つ以上の受け部要素に分割されていてもよい。すなわち、受け部は、複数の受け部要素に分割されていてもよい。
【００４９】
受け部は、前記第１の実施形態のようにカバー部の下端部から横金と略平行に延出するものであってもよく、また、横金と平行方向に対して後側に向かって下側へ傾斜して延出するものであってもよい。また、受け部は、カバー部の下端部から後側に向かって湾曲しながら延出するものであってもよい。また、受け部は、その後端部が上方又は下方に折れ曲がっているものであってもよい。
【００５０】
隣り合う受け部要素は、カバー部が面金に取り付けられた状態で、隣り合う辺部同士が互いに重ならないものであってもよい。
【００５１】
その他、本発明は前記各実施形態に限られず、その趣旨を逸脱しない範囲で種々の変形が可能であるのは言うまでもない。
【符号の説明】
【００５２】
Ｍ  剣道用面
Ｆ  面金
１００  剣道用マスク
Ｐ  板材
１０  カバー部
１０ａ  対向部
１４  通気部
２０  受け部
２０ａ，２０ｂ  受け部要素
【要約】      （修正有）【課題】剣道用面の着用者の鼻や口から下方へ向かって飛散した飛散物が面金から外方へ放出されない剣道用マスクを提供する。【解決手段】剣道用面の面金の後側に取り付けられ、当該剣道用面を装着した着用者の鼻と口に対向するカバー部１０と、前記カバー部１０の下端部から後側に向かって延出する受け部２０とを備える。【効果】着用者の鼻や口から下方に向かって飛散した飛散物が受け部２０に受け止められ、面金の下部から外方へ放出されなくなる。【選択図】図５【図１】
0006870875.tif 000002
【図２】
0006870875.tif 000003
【図３】
0006870875.tif 000004
【図４】
0006870875.tif 000005
【図５】
0006870875.tif 000006
【図６】
0006870875.tif 000007